(57)【要約】【課題】セフティの組立およびそのセフティの制動力についての試験を一連の流れの作業で無駄なく能率的に行なうことができるエレベータのセフティ組立試験装置を提供する。【解決手段】一つの作業台１０と、この作業台１０の上面に設けられた移動テーブル１１とを備え、作業台１０の上で、ボディ部材と、このボディ部材に設けられる一対のくさび受け部材と、これらくさび受け部材の外側に配置されて両くさび受け部材の外側への移動を弾性的に受け止めるばね部材と、前記両くさび受け部材の内側に組み込まれる一対のくさび部材とを備えるセフティＡを組立て、その組立後のセフティＡを移動テーブル１１の上に乗せて所定の試験ポジションＴに移動し、その試験ポジションにおいて、セフティＡにおける前記一対のくさび部材間に試験用のガイドレールＢを挿入し、このガイドレールＢをジャッキＣで軸方向に引張ってガイドレールＢとくさび部材との圧着に基づく制動力についての試験を行なう。【選択図】    図１
2005306577.tif 000002
【特許請求の範囲】
【請求項１】
一つの作業台と、この作業台の上面に設けられた移動テーブルとを備え、
前記作業台の上で、ボディ部材と、このボディ部材に設けられる一対のくさび受け部材と、これらくさび受け部材の外側に配置されて両くさび受け部材の外側への移動を弾性的に受け止めるばね部材と、前記両くさび受け部材の内側に組み込まれる一対のくさび部材とを備えるエレベータの非常止め用のセフティを組立て、
その組立後のセフティを前記移動テーブルの上に乗せて前記作業台の上面の所定の試験ポジションに移動し、その試験ポジションにおいて、前記セフティにおける前記一対のくさび部材間に試験用のガイドレールを挿入し、このガイドレールをジャッキで軸方向に引張ってガイドレールと前記くさび部材との圧着に基づく制動力についての試験を行なうことを特徴とするエレベータのセフティ組立試験装置。
【請求項２】
前記作業台の上面に設けられた移動テーブルは、前記作業台の上面の一側部のホームポジションから前記試験ポジションを経て前記作業台の上面の他側部のエンドポジションへの移動が可能であって、前記作業台の上で組立てたセフティは、前記ホームポジションに配置する移動テーブルの上に乗せてその移動テーブルと共に前記試験ポジションまで移動し、この試験ポジションで制動力についての試験を行なうことを特徴とする請求項１に記載のエレベータのセフティ組立試験装置。
【請求項３】
前記ジャッキは、前記セフティの制動力の荷重を測定することが可能なロードセルを備えることを特徴とする請求項１に記載のエレベータのセフティ組立試験装置。
【発明の詳細な説明】
【技術分野】
【０００１】
この発明は、エレベータの非常止め装置として用いられるセフティを組立かつその制動力についての試験をするためのセフティ組立試験装置に関する。
【背景技術】
【０００２】
エレベータのセフティは、乗りかごが所定の速度を超えて走行したときに、ガバナと連係してその乗りかごを非常停止させるもので、その構成要素としては、図５に示すように、互に離間して対向する上部板１ａと下部板１ｂとを有するボディ部材１と、前記上部板１ａと下部板１ｂとの間に左右に分かれて互に離間するように設けられた一対のくさび受け部材２と、これらくさび受け部材２の外側に配置されて両くさび受け部材２の外側への移動を弾性的に受け止める平面視がＵ字状のばね部材３と、両くさび受け部材２の内側にガイド部材４を介して組み込まれた一対のくさび部材５とを備えている。
【０００３】
両くさび受け部材２の内面は上方に向って漸次間隔が狭まる傾斜状のテーパ面なっており、また両くさび部材５の外面は前記テーパ面とほぼ同じ角度で傾斜するテーパ面となっている。そして前記各ガイド部材４は複数のローラ６を有し、これらローラ６が前記各くさび受け部材２のテーパ面と各くさび部材５のテーパ面との間に転動自在に配置されている。
【０００４】
このようなセフティＡは、乗りかごに取り付けられ、その乗りかごの走行をガイドするガイドレールＢが前記一対のくさび部材５の対向間に配置するように挿入される。そして、乗りかごが所定の速度を超えて下降したときに、ガバナとの連係で前記一対のくさび部材５が相対的に上方に引き上げられ、くさび部材５がガイド部材４のローラ６を介してくさび受け部材２のテーパ面に沿って移動することにより、両くさび部材５の対向間の間隔が狭まって前記ガイドレールＢが挟み付けられる。
【０００５】
この際、両くさび受け部材２が外側に開くように移動し、この移動で両くさび受け部材２にばね部材３の弾性力が加わり、この弾性力で両くさび部材２がガイドレールＢに圧着し、その両くさび部材２とガイドレールＢとの間の摩擦力で乗りかごが非常停止する。
【０００６】
なお、このようなセフティＡは、乗りかごに吊りロープで連結されてその乗りかごと共に昇降路内に吊り下げられる釣合い重りに取り付けられる場合もある。この場合には、その釣合い重りの走行をガイドするガイドレールに対してくさび部材２が圧着する。
【０００７】
このようなセフティＡの製造に当たっては、まず、ボディ部材１にくさび受け部材２、ばね部材３、ガイド部材４およびくさび部材５を組み付けてセフティＡを組立てる。そしてこの組立の工程が終了した後に、セフティＡを試験場所に搬送し、このセフティＡを上下反転して試験台の上に載置し、さらにセフティＡのくさび部材５間に試験用のガイドレールを挿入し、このガイドレールにくさび部材５を接触させ、この状態でガイドレールに軸方向の荷重を加えて、くさび部材５とガイドレールとの圧着による摩擦力を測定してセフティＡの制動力についての試験を行なう。
【発明の開示】
【発明が解決しようとする課題】
【０００８】
しかしながら、従来においては、セフティの組立とそのセフティの制動力試験とを全く別個の工程で行なっている。セフティの組立の作業はその専用の作業台の上で行ない、組立後にそのセフティを制動力試験用の作業台にまで搬送し、その作業台の上にセフティを載置して制動力試験を行なっており、このため組立から制動力試験までの作業の流れが繁雑で、またセフティの搬送や設置に手間と時間的なロスが生じ、作業能率が低下し、さらに組立と試験とに要する個々の作業スペースが必要となる。
【０００９】
この発明は、このような点に着目してなされたもので、その目的とするところは、セフティの組立から制動力試験までを一連の流れの作業で無駄なく能率よく実施することができるセフティの組立試験装置を提供することにある。
【課題を解決するための手段】
【００１０】
請求項１の発明は、一つの作業台と、この作業台の上面に設けられた移動テーブルとを備え、前記作業台の上で、ボディ部材と、このボディ部材に設けられる一対のくさび受け部材と、これらくさび受け部材の外側に配置されて両くさび受け部材の外側への移動を弾性的に受け止めるばね部材と、前記両くさび受け部材の内側に組み込まれる一対のくさび部材とを備えるエレベータの非常止め用のセフティを組立て、その組立後のセフティを前記移動テーブルの上に乗せて前記作業台の上面の所定の試験ポジションに移動し、その試験位置において、前記セフティにおける前記一対のくさび部材間に試験用のガイドレールを挿入し、このガイドレールをジャッキで軸方向に引張ってガイドレールと前記くさび部材との圧着による制動力についての試験を行なうことを特徴としている。
【００１１】
請求項２の発明は、前記作業台の上面に設けられた移動テーブルが、前記作業台の上面の一側部のホームポジションから前記試験ポジションを経て前記作業台の上面の他側部のエンドポジションへの移動が可能であって、前記作業台の上で組立てたセフティを、前記ホームポジションに配置する移動テーブルの上に乗せてその移動テーブルと共に前記試験ポジションまで移動し、この試験ポジションで制動力についての試験を行なうことを特徴としている。
【００１２】
請求項３の発明は、前記ジャッキが、前記セフティの制動力の荷重を測定することが可能なロードセルを備えることを特徴としている。
【発明の効果】
【００１３】
この発明によれば、セフティの組立から制動力試験までの作業を一連の流れで無駄なく能率よく実施することができる。
【発明を実施するための最良の形態】
【００１４】
以下、この発明の実施の形態について説明する。
【００１５】
図１には、セフティＡの組立および制動力試験を行なうための作業台１０を示してあり、この作業台１０の上面には移動テーブル１１が設けられている。この移動テーブル１１の一側縁には比較的幅の狭い溝状の切欠部１５が形成され、また作業台１０一側縁の中間部には比較的幅の広い切欠部１６が形成されている。
【００１６】
移動テーブル１１は、ガイド溝等によるガイド手段（図示せず）を介して作業台１０の上面の一側部のスタートポジションＳから前記切欠部１６が形成されている試験ポジションＴを経て作業台１０の上面の他側部のエンドポジションＥまでスライド移動させることが可能となっている。
【００１７】
また、図１には試験用のガイドレールＢおよび油圧式のジャッキＣを示してあり、ジャッキＣはガイドレールＢの端部を把持するためのチャック２１および荷重を検出するためのロードセル２２を備えている。
【００１８】
セフティＡの組立は、作業台１０の上において行なう。すなわち、作業台１０の上で前述した図５に示す通り、ボディ部材１にくさび受け部材２、ばね部材３、ガイド部材４およびくさび部材５を組み付けてセフティＡを組立てる。図１には作業台１０の上で組立てたセフティＡを外観的に略した形態で示してある。
【００１９】
作業台１０の上でセフティＡを組立てた後には、図２（ａ）に示すように、そのセフティＡをスタートポジションＳに配置している移動テーブル１１の上に乗せ、所定の固定装置（図示せず）を介してその移動テーブル１１に固定する。なお、セフティＡを移動テーブル１１の上に乗せる際には、その上下が反転するように、つまり一対のくさび部材５のテーパ面が下方に向かって漸次狭まる状態となる姿勢で乗せる。
【００２０】
次に、図２（ｂ）に示すように、移動テーブル１１をスライド移動させるセフティＡを試験ポジションＴの位置に配置させる。この状態で、図２（ｃ）に示すように、試験用のガイドレールＢを作業台１０の切欠部１６を通してセフティＡの一対のくさび部材５の相互間に挿入する。そしてガイドレールＢの下端部をジャッキＣのチャック２１で把持する。
【００２１】
次に、図３（ｄ）に示すように、ジャッキＣを作動させてガイドレールＢを下方に引き込む。これに応じてセフティＡの一対のくさび部材５が間隔を狭めてガイドレールＢに圧着する。このときの荷重をロードセル２２で測定する。さらにジャッキＣによる引き込みの荷重を増し、ガイドレールＢがくさび部材５に対して滑りが生じるときの荷重を測定し、これによりセフティＡの制動力についての性能を判定する。
【００２２】
次に、図３（ｅ）に示すように、ジャッキＣによりガイドレールＢを上方に押し戻し、ガイドレールＢとくさび部材５との圧着を解き、図４（ｆ）に示すようにガイドレールＢをセフティＡから取り外す。この後、図４（ｇ）に示すように、セフティＡを移動テーブル１１と共にエンドポジションＥまで移動させる。そしてこのエンドポジションＥにおいて、セフティＡと移動テーブル１１との固定を外し、セフティＡを移動テーブル１１から降ろし、これにより作業が終了する。
【００２３】
このように、セフティＡの組立てとその組立てたセフティＡの制動力試験とを同一の作業台１０の上で一連の作業として行なうことができ、したがってセフティＡを異なる場所に繰り返して移し変えて配置させるような無駄な労力や時間が不要で、能率よくセフティＡを組立てかつその制動力についての試験を実施することができる。
【図面の簡単な説明】
【００２４】
【図１】この発明の一実施形態に係るセフティ組立試験装置を示す斜視図。
【図２】そのセフティ組立試験装置を用いてセフティを組立かつその制動力についての試験を行なう前段の工程を示す斜視図。
【図３】同じく中段の工程を示す斜視図。
【図４】同じく後段の工程を示す斜視図。
【図５】エレベータの非常止め用のセフティの一般的な構造を示す正面図。
【符号の説明】
【００２５】
Ａ…セフティ、Ｂ…ガイドレール、Ｃ…ジャッキ、１…ボディ部材、２…くさび受け部材、３…ばね部材、４…ガイド部材、５…くさび部材、６…ローラ、１０…作業台、１１…移動テーブル、１５…切欠部、１６…切欠部、２１…チャック、２２…ロードセル。
【図１】
2005306577.tif 000003
【図２】
2005306577.tif 000004
【図３】
2005306577.tif 000005
【図４】
2005306577.tif 000006
【図５】
2005306577.tif 000007